(57)【要約】      （修正有）【課題】許可されたユーザにワイヤレス電力を伝達し、また許可されていないユーザへの電力の伝達を防止するための拡張型のシステムおよび方法を提供する。【解決手段】１つまたは複数の料金ベースのワイヤレス電力プランに関連する１つまたは複数の電子デバイスがワイヤレス電力を受信することを許可するステップ９８２を含む。方法９８０は、１つまたは複数の料金ベースのワイヤレス電力プランに従って１つまたは複数の電子デバイスにワイヤレス電力を伝達するステップ号９８３をも含む。【選択図】図１１
2014209845.tif 000002
【特許請求の範囲】
【請求項１】
アクセスまたは識別情報をワイヤレス充電器へ送信するように構成された送信機であって、前記アクセスまたは識別情報が電子デバイスのサブスクリプションベースのワイヤレス電力プランのサブスクリプションレベルの少なくとも一部を指示する、送信機と、
ワイヤレス電力を受信するように構成された受信アンテナであって、前記受信アンテナは、前記サブスクリプションベースのワイヤレス電力プランの前記サブスクリプションレベルにしたがって前記ワイヤレス充電器からワイヤレス電力を受信するように構成される、受信アンテナと、
を具備するワイヤレス電力受信するように構成された電子デバイス。
【請求項２】
前記サブスクリプションレベルは、前記ワイヤレス充電器から電力を受信するための優先度を定義する、請求項１に記載の電子デバイス。
【請求項３】
前記サブスクリプションレベルは、前記電子デバイスが充電されることを認証される地域または場所、あるいは、前記電子デバイスが充電されることを認証される間の１日の時間の少なくとも１つを定義する、請求項１に記載の電子デバイス。
【請求項４】
前記サブスクリプションレベルは、前記電子デバイスが充電されることを認証される、前記電子デバイスの充電量のしきい値を定義する、請求項１に記載の電子デバイス。
【請求項５】
前記サブスクリプションレベルは、前記電子デバイスが充電されることを許可される前に表示される広告の数、または、完了されるデータマイニング動作の数の少なくとも１つを定義する、請求項１に記載の電子デバイス。
【請求項６】
前記アクセス情報は、アクセスキーを具備する、請求項１に記載の電子デバイス。
【請求項７】
前記受信アンテナは、１つ以上のイベントの予測において、１つ以上のイベントの発生に際し、あるいは、前記電子デバイスの充電レベルがしきい値以下に落ちたとき、前記ワイヤレス充電器からワイヤレス電力を受信するように構成される、請求項１に記載の電子デバイス。
【請求項８】
プロセッサは、予想電力要求に基づいてサブスクリプションベースのワイヤレス電力源からワイヤレス電力を要求するように構成される、請求項１に記載の電子デバイス。
【請求項９】
前記サブスクリプションベースのワイヤレス電力プランは、再発生する費用（ｒｅｏｃｃｕｒｒｉｎｇ  ｆｅｅ）の支払いを具備する、請求項１に記載の電子デバイス。
【請求項１０】
第２の電子デバイスからアクセスまたは識別情報を受信するように構成された受信機であって、前記アクセスまたは識別情報は、前記第２の電子デバイスのサブスクリプションベースのワイヤレス電力プランのサブスクリプションレベルの少なくとも一部を示す、受信機と、
前記サブスクリプションベースのワイヤレス電力プランの前記サブスクリプションレベルに基づいて前記第２の電子デバイスへワイヤレス電力を送信するように構成されたワイヤレス電力送信機と、
を具備するワイヤレス電力を送信するように構成される電子デバイス。
【請求項１１】
前記サブスクリプションレベルは、前記第２の電子デバイスへ電力を送信するための優先度を定義する、請求項１０に記載の電子デバイス。
【請求項１２】
前記サブスクリプションレベルは、前記第２の電子デバイスが充電されるために認証される地域または場所、前記第２の電子デバイスが充電されるために認証される間の１日の時間．の少なくとも１つを定義する、請求項１０に記載の電子デバイス。
【請求項１３】
前記サブスクリプションレベルは、前記第２の電子デバイスが充電されるために認証される前記第２の電子デバイスの充電量のしきい値を定義する、請求項１０に記載の電子デバイス。
【請求項１４】
前記第２の電子デバイスが充電されるために認証される前に表示される広告の数、または、完了されるデータマイニング動作の数の少なくとも１つを定義する、請求項１０に記載の電子デバイス。
【請求項１５】
前記アクセス情報は、アクセスキーを具備する、請求項１０に記載の電子デバイス。
【請求項１６】
前記受信機は、前記第２の電子デバイスのための場所情報、前記第２の電子デバイスのためのエネルギー充電情報、または時間情報の少なくとも１つを受信するようにさらに構成され、前記ワイヤレス電力送信機は、前記受信した情報の少なくとも１部に基づいて、前記第２の電子デバイスへワイヤレス電力を送信するように構成される請求項１０に記載の電子デバイス。
【請求項１７】
前記サブスクリプションベースのワイヤレス電力プラン情報は、サービスまたは製品の少なくとも１つの購入に関する情報を具備する、請求項１０に記載の電子デバイス。
【請求項１８】
前記サブスクリプションベースのワイヤレス電力プランは、再発生する費用の支払いを具備する、請求項１０に記載の電子デバイス。
【請求項１９】
電力をワイヤレス送信するための方法であって、
電子デバイスからアクセスまたは識別情報を受信するステップであって、前記アクセスまたは識別情報は、第２の電子デバイスのサブスクリプションベースのワイヤレス電力プランのサブスクリプションレベルの少なくとも一部を示す、ステップと、
前記サブスクリプションベースのワイヤレス電力プランの前記サブスクリプションレベルにしたがってワイヤレス充電器から電子デバイスへ電力をワイヤレス送信するステップと、を具備し、
前記サブスクリプションベースのワイヤレス電力プランは、再発生する費用の支払いを具備する、方法。
【請求項２０】
前記サブスクリプションレベルは、前記電子デバイスへ電力を送信するための優先度を定義する、請求項１９に記載の方法。
【請求項２１】
前記優先度は、サブスクリプションベースのワイヤレス電力プランのサブスクリプションレベルに割り当てられたコストに基づく、請求項２０に記載の方法。
【請求項２２】
前記サブスクリプションレベルは、前記第２の電子デバイスが充電されるために認証される地域または場所、あるいは、前記電子デバイスが充電されることを認証される間の１日の時間の少なくとも１つを定義する、請求項１９に記載の方法。
【請求項２３】
前記サブスクリプションレベルは、前記電子デバイスが充電されることを認証される前記電子デバイスの充電量のしきい値を定義する、請求項１９に記載の方法。
【請求項２４】
ワイヤレス充電器から前記電子デバイスへ電力をワイヤレス送信するステップは、サービスまたは製品の少なくとも一つの購入に基づいて前記ワイヤレス充電器から前記電子デバイスへ電力をワイヤレス送信するステップを具備する、請求項１９に記載の方法。
【請求項２５】
サービスまたは製品の少なくとも一つの前記購入に基づいて、前記電子デバイスにワイヤレス電力を受信することを可能にするアクセスキーを提供するステップをさらに具備する、請求項２４に記載の方法。
【請求項２６】
前記サブスクリプションレベルは、前記電子デバイスが充電されることを認証される前に表示される広告の数、または、完了されるデータマイニング動作の数の少なくとも１つを定義する、請求項１９に記載の方法。
【請求項２７】
サブスクリプションベースのワイヤレス電力プランのサブスクリプションレベルのためにオファーを前記電子デバイスへ送信するステップを具備する、請求項１９に記載の方法。
【請求項２８】
前記電子デバイスに割り当てられた加入者にアクセスキーを提供するステップをさらに含み、前記アクセスキーはワイヤレス電力を受信するための前記電子デバイスを識別する、請求項１９に記載の方法。
【請求項２９】
ワイヤレス充電器から前記電子デバイスへワイヤレス電力を送信するステップは、前記サブスクリプションベースのワイヤレス電力プランの前記サブスクリプションレベルに割り当てられた予め認証された電子デバイスへ電力を自動的に送信するステップを具備する、請求項１９に記載の方法。
【請求項３０】
前記サブスクリプションベースのワイヤレス電力プランは、再発生する費用の支払いを具備する、請求項１９に記載の方法。
【請求項３１】
電力をワイヤレス受信するための方法であって、
アクセスまたは識別情報をワイヤレス充電器へ送信するステップであって、前記アクセスまたは識別情報は、電子デバイスのサブスクリプションベースのワイヤレス電力プランのサブスクリプションレベルの少なくとも１部を示す、ステップと、
前記電子デバイスにおいて、ワイヤレス電力サブスクリプションの前記サブスクリプションレベルにしたがって、前記ワイヤレス充電器からワイヤレス電力を受信するステップと、
を具備する方法。
【請求項３２】
前記サブスクリプションレベルは、前記ワイヤレス充電器から電力を受信するための優先度を定義する、請求項３１に記載の方法。
【請求項３３】
前記サブスクリプションレベルは、前記電子デバイスが充電されることを認証される地域または場所、あるいは、前記電子デバイスが充電されることを認証される間の一日の時間の少なくとも１つを定義する、請求項３１に記載の方法。
【請求項３４】
前記サブスクリプションレベルは、前記電子デバイスが充電されることを認証されるまでの前記電子デバイスの充電量のしきい値を定義する、請求項３１に記載の方法。
【請求項３５】
前記サブスクリプションレベルは、前記電子デバイスが充電されることを認証される前に表示される広告の数、または、前記電子デバイスが充電されることを認証される前に完了されるデータマイニング動作の数の少なくとも１つを定義する、請求項３１に記載の方法。
【請求項３６】
ワイヤレス電力を受信するステップは、サービスまたは製品の購入の少なくとも一部に基づいて前記ワイヤレス充電器からワイヤレス電力を受信するステップを具備する、請求項３１に記載の方法。
【請求項３７】
前記アクセス情報は、アクセスキーを具備する、請求項３１に記載の方法。
【請求項３８】
ワイヤレス電力を受信するステップは、１つ以上のイベントの予測において、１つ以上のイベントの発生に際し、あるいは、前記電子デバイスの充電レベルがしきい値以下に落ちたとき、ワイヤレス電力  ｆｒｏｍ  前記ワイヤレス充電器からワイヤレス電力を受信するステップを具備する、請求項３１に記載の方法。
【請求項３９】
アクセスまたは識別情報をワイヤレス充電器へ送信するための手段であって、前記アクセスまたは識別情報は、電子デバイスのサブスクリプションベースのワイヤレス電力プランのサブスクリプションレベルの一部を示す、手段と、
前記サブスクリプションベースのワイヤレス電力プランの前記サブスクリプションレベルにしたがって、前記ワイヤレス充電器からワイヤレス電力を受信するための手段と、
を具備する、ワイヤレス電力を受信するように構成される電子デバイス。
【請求項４０】
第２の電子デバイスからアクセスまたは識別情報を受信するための手段であって、前記アクセスまたは識別情報は、前記第２の電子デバイスのサブスクリプションベースのワイヤレス電力プランのサブスクリプションレベルの少なくとも一部を示す、手段と、
前記サブスクリプションベースのワイヤレス電力プランの前記サブスクリプションレベルに基づいて前記第２の電子デバイスへワイヤレス電力を送信するための手段と、
を具備する、ワイヤレス電力を送信するように構成される電子デバイス。
【請求項４１】
アクセスまたは識別情報をワイヤレス充電器へ送信するステップであって、前記アクセスまたは識別情報は、電子デバイスのサブスクリプションベースのワイヤレス電力プランのサブスクリプションレベルの一部を示す、ステップと、
前記サブスクリプションベースのワイヤレス電力プランの前記サブスクリプションレベルにしたがって前記ワイヤレス充電器からワイヤレス電力を受信するステップと、
を装置に行わせるための、前記装置のプロセッサによって実行可能な命令を含むコンピュータ可読記憶媒体。
【請求項４２】
アクセスまたは識別情報を電子デバイスから受信するステップであって、前記アクセスまたは識別情報は、前記電子デバイスのサブスクリプションベースのワイヤレス電力プランのサブスクリプションレベルの少なくとも一部を示す、ステップと、
前記サブスクリプションベースのワイヤレス電力プランの前記サブスクリプションレベルに基づいて前記電子デバイスへワイヤレス電力を送信するステップと、
を装置に行わせるための、前記装置のプロセッサによって実行可能な命令を含むコンピュータ可読記憶媒体。
【発明の詳細な説明】
【技術分野】
【０００１】
米国特許法第１１９条に基づく優先権の主張
本出願は、参照により開示全体が本明細書に組み込まれている、２００９年１１月１７日に出願した米国仮特許出願第６１／２６２，１１９号、「ＷＩＲＥＬＥＳＳ  ＰＯＷＥＲ」の優先権を米国特許法第１１９条の下に主張するものである。
【０００２】
本発明は、一般には、ワイヤレス電力に関し、より詳細には、許可ベースのワイヤレス電力受信に関連する方法およびシステムに関する。
【背景技術】
【０００３】
典型的には、充電式バッテリによって電力供給される各デバイスは、通常ＡＣ電源出力であるそれ自体の充電器および電源を必要とすることがある。多くのデバイスが充電を必要とする場合、これは扱いにくくなる。
【０００４】
送信機と充電すべきデバイスとの間でワイヤレス電力伝送（すなわち、充電器と充電すべきデバイスとの間で有線接続を必要としないエネルギー伝達）を使用する手法が開発されている。たとえば、エネルギーは、充電すべきデバイス上の送信アンテナと受信アンテナの間の平面波放射（遠距離場放射とも呼ばれる）を結合することによって伝達することができ、この受信アンテナは、放射電力を収集し、バッテリを充電するためにそれを整流する。アンテナは一般に、結合効率を向上させるために共振長のものである。この手法は、電力結合がアンテナの間の距離と共に急速に低下するという欠点がある。したがって、典型的には、妥当な距離（たとえば、＞１〜２ｍ）に渡ってこの充電解決法を適用することは難しくなる。さらに、このシステムは平面波を放射するので、フィルタリングによって適切に制御されない場合には、偶発的な放射が他のシステムに干渉することがある。
【０００５】
他の手法は、たとえば「充電」マットまたは表面に埋め込まれた送信アンテナと、充電すべきホストデバイスに埋め込まれた受信アンテナおよび整流回路との間の誘導結合に基づく。この手法には、送信アンテナと受信アンテナの間の間隔が非常に近くなければならない（たとえば数ｍｍ）という欠点がある。この手法は、同じエリアの複数のデバイスを同時に充電する能力を有するが、典型的にこのエリアは小さく、したがって、ユーザは、デバイスの特定のエリアに置かなければならない。
【発明の概要】
【発明が解決しようとする課題】
【０００６】
許可されたユーザにワイヤレス電力を伝達し、また許可されていないユーザへの電力の伝達を防止するための拡張型のシステムおよび方法が求められている。
【課題を解決するための手段】
【０００７】
上記課題は、本願特許請求の範囲の独立項に記載した発明により解決される。
【図面の簡単な説明】
【０００８】
【図１】ワイヤレス電力伝達システムの簡略化されたブロック図である。
【図２】ワイヤレス電力伝達システムの簡略化された概略図である。
【図３】本発明の例示的な実施形態で使用されるループアンテナの概略図である。
【図４】本発明の例示的な一実施形態による送信機の簡略化されたブロック図である。
【図５】本発明の例示的な一実施形態による受信機の簡略化されたブロック図である。
【図６】送信機と受信機の間でメッセージングを実施するための送信回路の一部の簡略化された概略図である。
【図７Ａ】電子デバイスのブロック図である
【図７Ｂ】図７Ａの電子デバイスの別の図である。
【図８】エンティティと複数の電子デバイスとを含むワイヤレスシステムを示す図である。
【図９】本発明の例示的な一実施形態によるワイヤレス充電器および電子デバイスを示す図である。
【図１０】本発明の例示的な一実施形態によるワイヤレス充電器、ルータおよび電子デバイスを示す図である。
【図１１】本発明の例示的な一実施形態による一方法を示すフローチャートである。
【図１２】本発明の例示的な一実施形態による別の方法を示すフローチャートである。
【図１３】本発明の例示的な一実施形態による別の方法を示すフローチャートである。
【図１４】本発明の例示的な一実施形態による別の方法を示すフローチャートである。
【図１５】本発明の例示的な一実施形態による別の方法を示すフローチャートである。
【発明を実施するための形態】
【０００９】
添付の図面に関連して下記に述べられた詳細な説明は、本発明の例示的な実施形態について説明するためのものであり、本発明が実施され得る実施形態だけを表すためのものではない。この説明全体を通して用いられる用語「例示的な」は、「例、事例または例証となる」ことを意味しており、他の例示的な実施形態よりも好ましいまたは有利であると必ずしも解釈すべきでない。詳細な説明は、本発明の例示的な実施形態の完全な理解を促すための具体的な詳細を含む。本明細書に例示的な諸実施形態は、これらの特定の詳細なしに実施できることが当業者には明らかであろう。一部の場合では、本明細書に提示された例示的な諸実施形態の新規性を不明瞭にしないために、よく知られている構造およびデバイスは、ブロック図の形で示されている。
【００１０】
単語「ワイヤレス電力」は本明細書では、電界、磁界、電磁界に関連する任意の形のエネルギー、あるいは物理的な電磁導線を使用せずに送信機から受信機に送信される任意の形のエネルギーを意味するために用いられている。本発明は、近距離、遠距離、共振および誘導など、任意の適切なワイヤレス電力シナリオに適用可能であってよいことに留意されたい。
【００１１】
図１は、本発明の様々な例示的な実施形態によるワイヤレス伝送または充電システム１００を示している。入力電力１０２は、エネルギー伝達を提供するための放射界１０６を発生させるために送信機１０４に提供される。受信機１０８は、放射界１０６に結合し、出力電力１１０に結合されたデバイス（図示せず）による蓄積または消費ための出力電力１１０を生成する。送信機１０４と受信機１０８の両方は、距離１１２だけ分離されている。例示的な一実施形態では、送信機１０４および受信機１０８は、相互共振関係に従って構成され、受信機１０８の共振周波数と送信機１０４の共振周波数が非常に近い場合、送信機１０４と受信機１０８の間の伝送損失は、受信機１０８が放射界１０６の「近距離場」に位置するときに最小になる。
【００１２】
送信機１０４は、エネルギー送信手段を提供するための送信アンテナ１１４をさらに含み、受信機１０８は、エネルギー受信手段を提供するための受信アンテナ１１８をさらに含む。送信アンテナおよび受信アンテナは、それに関連する適用例およびデバイスに従ってサイズ決定される。上述されたように、効率的なエネルギー伝達は、エネルギーのほとんどを電磁波で遠距離場に伝搬するのではなく、送信アンテナの近距離場におけるエネルギーの大部分を受信アンテナに結合することによって行われる。この近距離場にある場合、送信アンテナ１１４と受信アンテナ１１８の間で結合モードが生じる。この近距離結合が発生し得るアンテナ１１４および１１８の周りのエリアは、本明細書では結合モード領域と呼ばれる。
【００１３】
図２は、ワイヤレス電力伝達システムの簡略化された例示的な概略図を示している。送信機１０４は、発振器１２２と、電力増幅器１２４と、フィルタ／整合回路１２６とを含む。発振器は、調整信号１２３に応答して調整され得る所望の周波数で信号を生成するように構成される。発振器信号は、電力増幅器１２４によって、制御信号１２５に応答する増幅量で増幅することができる。フィルタおよび整合回路１２６は、高調波または他の不所望の周波数をフィルタリングして、送信機１０４のインピーダンスを送信アンテナ１１４に整合させるために含めることができる。
【００１４】
受信機１０８は、整合回路１３２と、図２に示されたようにバッテリ１３６を充電し、または受信機（図示せず）に結合されたデバイスに電力供給するためにＤＣ電力出力を生成する整流器／スイッチング回路１３４とを含んでよい。整合回路１３２は、受信機１０８のインピーダンスを受信アンテナ１１８に整合させるために含まれてよい。受信機１０８および送信機１０４は、別個の通信チャネル１１９（たとえばＢｌｕｅｔｏｏｔｈ（登録商標）、ｚｉｇｂｅｅ、セルラなど）上で通信してよい。
【００１５】
図３に示されたように、例示的な実施形態で使用されるアンテナは、「ループ」アンテナ１５０として構成することができ、このループアンテナ１５０は本明細書では、「磁気」アンテナと呼ばれることもある。ループアンテナは、空芯、またはフェライトコアなどの物理的なコアを含むように構成されてよい。空芯ループアンテナは、コアの近傍に置かれた外来物理デバイスに対してより高い耐性を有し得る。さらに、空芯ループアンテナでは、コアエリア内に他の構成要素を配置することができる。さらに、空芯ループは、送信アンテナ１１４（図２）の結合モード領域がより強力になり得る送信アンテナ１１４（図２）の平面内に受信アンテナ１１８（図２）を配置することを、より容易に可能にすることができる。
【００１６】
上述されたように、送信機１０４と受信機１０８の間の効率的なエネルギー伝達は、送信機１０４と受信機１０８の間の整合された、またはほぼ整合された共振中に行われる。しかし、送信機１０４と受信機１０８の間の共振が整合されていない場合でも、エネルギーをより低い効率で伝達することができる。エネルギーの伝達は、送信アンテナからのエネルギーを自由空間に伝搬するのではなく、送信アンテナの近距離場からのエネルギーを、この近距離場が確立される近傍に常駐する受信アンテナに結合することによって行われる。
【００１７】
ループアンテナまたは磁気アンテナの共振周波数は、インダクタンスおよびキャパシタンスに基づく。ループアンテナのインダクタンスは一般に、単にループによって生成されたインダクタンスであり、キャパシタンスは一般に、所望の共振周波数で共振構造を生成するためにループアンテナのインダクタンスに追加される。非限定的な例として、共振信号１５６を生成する共振回路を作成するために、キャパシタ１５２およびキャパシタ１５４をアンテナに追加することができる。したがって、より大きい直径のループアンテナでは、ループの直径またはインダクタンスが増加するにつれて、共振を誘起するために必要なキャパシタンスの大きさは減少する。さらに、ループまたは磁気アンテナの直径が増加するにつれて、近距離場の効率的なエネルギー伝達エリアは増加する。もちろん、他の共振回路も可能である。別の非限定的な例として、ループアンテナの２つの端子間にキャパシタを並列に置くことができる。さらに、送信アンテナの場合、共振信号１５６は、ループアンテナ１５０への入力であってよいことが当業者には認識されよう。
【００１８】
図４は、本発明の例示的な実施形態による送信機２００の簡略化されたブロック図である。送信機２００は、送信回路２０２と送信アンテナ２０４とを含む。一般に、送信回路２０２は、発振信号を供給することによって送信アンテナ２０４にＲＦ電力を供給し、その結果、送信アンテナ２０４の周りに近距離場エネルギーが発生する。例を挙げると、送信機２００は、１３．５６ＭＨｚのＩＳＭバンドで動作することができる。
【００１９】
例示的な送信回路２０２は、送信回路２０２のインピーダンス（たとえば５０オーム）を送信アンテナ２０４に整合させるための固定のインピーダンス整合回路２０６と、受信機１０８（図１）に結合されたデバイスの自己ジャミングを防止するレベルにまで高調波放出を低減するように構成された低域フィルタ（ＬＰＦ：ｌｏｗ  ｐａｓｓ  ｆｉｌｔｅｒ）２０８とを含む。他の例示的な実施形態は、それだけに限定されないが、他の周波数を通過させながら特定の周波数を減衰させるノッチフィルタを含めて様々なフィルタトポロジを含むことができ、アンテナへの出力電力や電力増幅器によるＤＣ電流ドロー（ｃｕｒｒｅｎｔ  ｄｒａｗ）など、測定可能な送信メトリクスに基づいて変化可能な適応型インピーダンス整合を含むことができる。送信回路２０２は、発振器２１２によって決定されたＲＦ信号を駆動するように構成された電力増幅器２１０をさらに含む。送信回路は、ディスクリートデバイスまたは回路で構成されてもよいし、あるいは、集積型アセンブリで構成されてもよい。送信アンテナ２０４からの例示的なＲＦ電力出力は、２．５ワットのオーダであってよい。
【００２０】
送信回路２０２は、特定の受信機に対して送信位相（またはデューティサイクル）中に発振器２１２をイネーブルし、発振器の周波数を調整し、隣接デバイスと、その接続された受信機を介して対話するための通信プロトコルを実装するために出力電力レベルを調整するためのコントローラ２１４をさらに含む。
【００２１】
送信回路２０２は、送信アンテナ２０４によって生成された近距離場の近傍にアクティブ受信機が存在または不在であることを検出するための負荷感知回路２１６をさらに含んでよい。例を挙げると、負荷感知回路２１６は、電力増幅器２１０に流れる電流を監視し、この電流は、送信アンテナ２０４によって生成された近距離場の近傍にアクティブ受信機が存在または不在であることによって影響を受ける。電力増幅器２１０への負荷の変化の検出は、アクティブ受信機と通信するためのエネルギーを送信するために発振器２１２をイネーブルすべきかどうか判定する際に使用するために、コントローラ２１４によって監視される。
【００２２】
送信アンテナ２０４は、抵抗損を低く保つように選択された厚さ、幅および金属タイプを有するアンテナストリップとして実装することができる。従来の実装形態では、送信アンテナ２０４は一般に、テーブル、マット、ランプまたはそれほど可搬性が高くない他の構成など、より大きい構造物と関連付けられるように構成されてよい。したがって、送信アンテナ２０４は一般に、実用的な寸法にするための「巻き」を必要としない。送信アンテナ２０４の例示的な一実装形態は、「電気的に小形」（すなわち波長の分数）とし、キャパシタを使用して共振周波数を定義することによって、より低い使用可能な周波数で共振するように同調させることができる。送信アンテナ２０４の直径が、または方形ループの場合には辺の長さが、受信アンテナに対してより大きい（たとえば０．５０メートル）である例示的な適用例では、送信アンテナ２０４は、妥当なキャパシタンスを得るために必ずしも多数の巻きを必要としない。
【００２３】
送信機２００は、送信機２００に関連し得る受信機デバイスの所在およびステータスに関する情報を収集し、追跡することができる。したがって、送信回路２０２は、コントローラ２１４（本明細書ではプロセッサとも呼ばれる）に接続された存在検出器２８０、閉鎖検出器（ｅｎｃｌｏｓｅｄ  ｄｅｔｅｃｔｏｒ）２９０またはその組合せを含んでよい。コントローラ２１４は、存在検出器２８０および閉鎖検出器２９０からの存在信号に応答して、増幅器２１０によって提供される電力の量を調整してよい。送信機は、たとえば建物に存在する従来のＡＣ電力を変換するＡＣ−ＤＣ変換器（図示せず）、従来のＤＣ電源を送信機２００に適した電圧に変換するＤＣ−ＤＣ変換器（図示せず）など、いくつかの電源を介して、または従来のＤＣ電源（図示せず）から直接に電力を受信することができる。
【００２４】
非限定的な例として、存在検出器２８０は、送信機のカバレッジエリアに挿入される、充電すべきデバイスの初期の存在を感知するために使用される動き検出器であってよい。検出後、送信機をオンにすることができ、デバイスによって受信されたＲＦ電力を使用して、事前定義されたやり方でＲｘデバイス上のスイッチを切り換えることができ、その結果、送信機の駆動点インピーダンスの変化が生じる。
【００２５】
別の非限定的な例として、存在検出器２８０は、たとえば赤外線検出、動き検出、または他の適切な手段によって人間を検出可能な検出器であってよい。一部の例示的な実施形態では、送信アンテナが特定周波数で送信できる電力量を制限する調整が行われてよい。場合によっては、これらの調整は、電磁放射から人間を保護するためのものである。しかし、たとえばガレージ、作業現場、店など、人間が占有していない、または人間が稀にしか占有しないエリアに送信アンテナが置かれる環境があり得る。これらの環境に人間がいない場合、送信アンテナの電力出力を通常の電力制限調整を超えて増加させることが許容可能であってよい。換言すると、コントローラ２１４は、人間の存在に応答して送信アンテナ２０４の電力出力を規制レベルまたはより低いレベルに調整し、また人間が送信アンテナ２０４の電磁界からの規制距離の外部にいる場合には、送信アンテナ２０４の電力出力を規制レベルを超えたレベルに調整してよい。
【００２６】
非限定的な例として、閉鎖検出器２９０（本明細書では閉鎖区画検出器または閉鎖空間検出器と呼ばれることもある）は、筺体がいつ閉じた状態であるか、または開いた状態であるかを決定するためのセンススイッチなどのデバイスであってよい。送信機が、囲まれた状態である筺体内にある場合、送信機の電力レベルを増加させてよい。
【００２７】
例示的な実施形態では、送信機２００が同じ状態に無期限にとどまらない方法を使用することができる。この場合、送信機２００は、ユーザが決定した時間量の後、切れるようにプログラムされてよい。この特徴は、送信機２００、特に電力増幅器２１０が、その周囲にあるワイヤレスデバイスが完全に充電された後に長く実行されることを防止する。この事象は、デバイスが完全に充電されたことを示す、リピータまたは受信コイルから送られた信号を回路が検出し損なうことによるものであり得る。送信機２００の周囲に別のデバイスが置かれる場合、送信機２００が自動的にシャットダウンしないようにするために、送信機２００の自動遮断特徴は、その周囲で検出される動きがないことの設定期間後にだけアクティブ化することができる。ユーザは、非活動時間間隔を決定し、また要望に応じてそれを変更可能であってよい。非限定的な例として、時間間隔は、デバイスが最初に完全に放電されていると仮定して、特定のタイプのワイヤレスデバイスを完全に充電するのに必要な時間間隔より長くてもよい。
【００２８】
図５は、本発明の例示的な一実施形態による、受信機３００の簡略化されたブロック図である。受信機３００は、受信回路３０２と受信アンテナ３０４とを含む。受信機３００はさらに、受信された電力をデバイス３５０に提供するためにデバイス３５０に結合する。受信機３００は、デバイス３５０の外側にあるものとして示されているが、デバイス３５０に組み込まれてもよいことに留意されたい。一般に、エネルギーは、受信アンテナ３０４に無線で伝搬され、次いで、受信回路３０２を介してデバイス３５０に結合される。
【００２９】
受信アンテナ３０４は、送信アンテナ２０４（図４）と同じ周波数、またはほぼ同じ周波数で共振するように調整される。受信アンテナ３０４は、送信アンテナ２０４と同様に寸法決定されてもよいし、関連するデバイス３５０の寸法に基づいて、異なるやり方で寸法決定されてもよい。例を挙げると、デバイス３５０は、送信アンテナ２０４の長さの直径より小さい直径寸法または長さ寸法を有する携帯型電子デバイスであってよい。こうした例では、受信アンテナ３０４は、同調キャパシタ（図示せず）の容量値を減少させ、受信アンテナのインピーダンスを増加させるために、多巻きアンテナとして実装されてよい。例を挙げると、受信アンテナ３０４は、アンテナ直径を最大にし、受信アンテナのループ巻き数（すなわち巻線）および巻線間キャパシタンスを減少させるために、デバイス３５０の実質的な周囲の周りに置かれてもよい。
【００３０】
受信回路３０２は、受信アンテナ３０４へのインピーダンス整合を提供する。受信回路３０２は、受信ＲＦエネルギー源を、デバイス３５０が使用する充電電力に変換するための電力変換回路３０６を含む。電力変換回路３０６は、ＲＦ−ＤＣ変換器３０８を含み、またＤＣ−ＤＣ変換器３１０を含むこともできる。ＲＦ−ＤＣ変換器３０８は、受信アンテナ３０４で受信されたＲＦエネルギー信号を非交流電力に整流し、ＤＣ−ＤＣ変換器３１０は、整流されたＲＦエネルギー信号を、デバイス３５０に適合するエネルギーポテンシャル（たとえば電圧）に変換する。部分整流器および完全整流器、調整器、ブリッジ、ダブラー、ならびに線形変換器およびスイッチング変換器を含めて、様々なＲＦ−ＤＣ変換器が企図される。
【００３１】
受信回路３０２は、受信アンテナ３０４を電力変換回路３０６に接続し、あるいは電力変換回路３０６を切断するためのスイッチング回路３１２をさらに含むことができる。電力変換回路３０６から受信アンテナ３０４を切断することは、デバイス３５０の充電を中断するだけでなく、送信機２００（図２）から「見える」「負荷」を変化させる。
【００３２】
上記で開示されたように、送信機２００は、送信機電力増幅器２１０に供給されたバイアス電流の変動を検出する負荷感知回路２１６を含む。したがって、送信機２００は、受信機がいつ送信機の近距離場に存在するか決定するための機構を有する。
【００３３】
複数の受信機３００が送信機の近距離場に存在するとき、他の受信機が送信機により効率的に結合することを可能にするために、１つまたは複数の受信機の装荷および除荷を時間多重化することが望ましいことがある。受信機は、他の近くの受信機への結合を解消するために、または近くの送信機への装荷を低減させるためにクローキングすることもできる。受信機のこの「除荷」は、本明細書では、「クローキング」としても知られている。さらに、受信機３００によって制御され、送信機２００によって検出される除荷と装荷の間のこのスイッチングは、下記でより完全に説明されるように、受信機３００から送信機２００への通信機構を提供する。さらに、受信機３００から送信機２００へのメッセージの送信を可能にするスイッチングにプロトコルを関連付けることができる。例を挙げると、スイッチング速度は、１００μ秒のオーダであってよい。
【００３４】
例示的な実施形態では、送信機と受信機の間の通信は、従来の双方向通信ではなく、デバイス感知および充電制御機構を指す。換言すると、送信機は、送信信号のオン／オフキーイングを使用して、近距離場でエネルギーが得られるかどうか調整する。受信機は、エネルギーのこれらの変化を送信機からのメッセージと解釈する。受信機側からは、受信機は、受信アンテナの同調および同調解除を使用して、近距離場からどれくらいの電力が受け付けられているか調整する。送信機は、近距離場からの使用された電力のこの差を検出し、これらの変化を受信機からのメッセージと解釈することができる。
【００３５】
受信回路３０２は、送信機から受信機への情報シグナリングに対応し得る受信エネルギーの変動を識別するために使用されるシグナリング検出器およびビーコン回路３１４をさらに含んでよい。さらに、シグナリングおよびビーコン回路３１４を使用して、低減されたＲＦ信号エネルギー（すなわちビーコン信号）の送信を検出し、またワイヤレス充電用の受信回路３０２の構成のために、低減されたＲＦ信号エネルギーを整流して、受信回路３０２内の無電力供給回路または電力消耗回路をアウェイクさせるための公称電力にすることもできる。
【００３６】
受信回路３０２は、本明細書に述べられたスイッチング回路３１２の制御を含めて、本明細書に述べられた受信機３００のプロセスを調整するためのプロセッサ３１６をさらに含む。受信機３００のクローキングは、デバイス３５０に充電電力を供給する外部ワイヤード充電源（たとえば、ウォール／ＵＳＢ電源）の検出を含めて、他のイベントの発生時に行われることもある。プロセッサ３１６は、受信機のクローキングを制御することに加えて、ビーコン状態を決定し、送信機から送られたメッセージを抽出するためにビーコン回路３１４を監視することもできる。プロセッサ３１６は、性能の向上のためにＤＣ−ＤＣ変換器３１０を調整することもできる。
【００３７】
図６は、送信機と受信機の間のメッセージングを実施するための送信回路の一部の簡略化された概略図を示している。本発明のいくつかの例示的な実施形態では、送信機と受信機の間で通信手段を使用可能にすることができる。図６では、電力増幅器２１０は、放射界を発生させるために、送信アンテナ２０４を駆動する。電力増幅器は、送信アンテナ２０４に望ましい周波数で発振しているキャリア信号２２０によって駆動される。電力増幅器２１０の出力を制御するために、送信変調信号２２４が使用される。
【００３８】
送信回路は、電力増幅器２１０に対するオン／オフキーイングプロセスを使用することによって受信機に信号を送ることができる。換言すると、送信変調信号２２４がアサートされるとき、電力増幅器２１０は、送信アンテナ２０４に対してキャリア信号２２０の周波数を励振する。送信変調信号２２４がネゲートされるとき、電力増幅器は、送信アンテナ２０４に対して周波数を励振しない。
【００３９】
図６の送信回路は、電力増幅器２１０に電力を供給し、受信信号２３５出力を生成する負荷感知回路２１６をも含む。負荷感知回路２１６では、信号の電力２２６と電力増幅器２１０への電力供給２２８との間の抵抗Ｒｓの両端間に電圧降下が生じる。電力増幅器２１０によって消費される電力のどんな変化もが、差動増幅器２３０によって増幅される電圧降下の変化を引き起こす。送信アンテナが受信機内の受信アンテナ（図６に図示せず）との結合モードにあるとき、電力増幅器２１０によって引き出される電流の量が変化する。換言すると、送信アンテナ２０４の結合モード共振が存在しない場合は、放射界を励振するのに必要な電力が最初の量である。結合モード共振が存在する場合は、電力の大部分が受信アンテナに結合されているので、電力増幅器２１０によって消費される電力の量は上昇する。したがって、受信信号２３５は、送信アンテナ２０４に結合された受信アンテナの存在を示すことができ、受信アンテナから送られた信号を検出することもできる。さらに、受信機電流ドローの変化は、送信機の電力増幅器電流ドローにおいて観測可能であり、この変化を使用して、受信アンテナからの信号を検出することができる。
【００４０】
本明細書では、用語「エンティティ」は、ワイヤレス電力の提供に関与する任意のエンティティを指し得る。たとえば、「エンティティ」は、企業体、ワイヤレス電力サービスプロバイダ、事業所またはサービスプロバイダと合意する第三者、あるいはその任意の組合せを含んでよい。さらに、本明細書では、用語「データマイニング」は、電子デバイスに関係するデータ（たとえば、デバイスの位置やデバイスのタイプ）、あるいは電子デバイスのユーザに関するデータ（たとえば、ユーザの関心、行動および嗜好、ユーザの年齢など）をキャプチャするために電子デバイスに対して操作を実施するための様々な技法を指し得る。さらに、本明細書では、「広告」は、それだけに限らないが、そのいずれかがテキスト、オーディオ、画像、ビデオまたはその任意の組合せを含んでよい販促情報、ニュースに基づく情報、アカウント情報、契約条件情報を含めた情報を指し得る。
【００４１】
当業者によって理解されるように、事業所（たとえばコーヒーショップ）は、事業所を訪れる顧客にワイヤレス電力を供給してよい。より具体的には、一例として、ワイヤレス電力アクセスは、事業所、サービスプロバイダ、事業所またはサービスプロバイダと合意する第三者、あるいはその任意の組合せによって提供することができる。さらに、ワイヤレス充電器は、事業所内に置かれることに加えて、たとえば図書館、教育施設、ワイヤレス発電所、または公共輸送車両（たとえばバスや列車）内に置かれてよいことに留意されたい。したがって、エンティティは、たとえば企業、公共施設内に、あるいは旧式の公衆電話ボックス、または高速道路沿いの休憩所に類似のワイヤレス発電所で、ワイヤレス電力サービスを確立することができる。
【００４２】
本明細書に述べられた本発明の様々な例示的な実施形態は、１つまたは複数の電子デバイスに電力を伝達する方法に関する。より具体的には、方法が、１つまたは複数の電子デバイスにワイヤレス電力を伝達するステップを含んでよく、１つまたは複数の電子デバイスのユーザが、エンティティに対して何らかの形式の支払いを行っている。たとえば、ユーザは、ワイヤレス電力サブスクリプション（ｓｕｂｓｃｒｉｐｔｉｏｎ）の料金を支払っており、または事業所から製品（たとえば１杯のコーヒー）またはサービスを購入している。さらに、エンティティに対してある形式の支払いを行っていないユーザに関連する電子デバイスは、エンティティからの相当量のワイヤレス電力を利用しない（ａｖａｉｌｅｄ  ｏｆ）。
【００４３】
本発明の他の様々な例示的な実施形態は、料金ベースのワイヤレス電力プランに従って１つまたは複数の電子デバイス上でワイヤレス電力を受信する方法に関する。より具体的には、方法が、１つまたは複数の電子デバイス上でワイヤレス電力を受信するステップを備えてよく、１つまたは複数の電子デバイスのユーザが、エンティティに対して何らかの形式の支払いを行っている。一例として、方法が、ワイヤレス電力のサブスクリプションの購入後に１つまたは複数の電子デバイス上でワイヤレス電力を受信するステップを含んでよい。別の例として、方法が、製品、サービスまたは両方を購入するステップと、その後に１つまたは複数の電子デバイス上でワイヤレス電力を受信するステップとを含んでよい。
【００４４】
図７Ａは、ワイヤレス電力を受信するように構成された任意の知られている電子デバイスを備えてよい、電子デバイス７００のブロック図を示している。単に例示すると、電子デバイス７００は、携帯電話、パーソナルコンピュータ、メディアプレーヤー、ゲームデバイス、またはその任意の組合せを備えてよい。単に例を挙げると、電子デバイス７００は、受信機（図７Ａに図示せず、たとえば図５の受信機３００参照）と、少なくとも１つの関連する受信アンテナ７０２を備えてよい。電子デバイス７００は、たとえばバッテリを備えてよいエネルギー蓄積デバイス７０６をさらに含んでよい。下記により完全に述べられた例示的な一実施形態によれば、電子デバイス７００は、ＷｉＦｉ依存型ロケータや全地球測位システム（ＧＰＳ：  ｇｌｏｂａｌ  ｐｏｓｉｔｉｏｎｉｎｇ  ｓｙｓｔｅｍ）受信機など、位置検出コンポーネント７０９を備えてもよいし、それに動作可能に結合されてもよい。電子デバイス７００は、メモリ７０３と、本明細書に述べられたように本発明の様々な例示的な実施形態を実行するための１つまたは複数のプロセッサ７０１とをさらに含んでよい。
【００４５】
図７Ｂは、電子デバイス７００の別の図である。図７Ｂに示されたように、電子デバイス７００は、出力デバイス７０８と入力デバイス７１０とを有するユーザインターフェース７０４を含んでよい。当業者には理解されるように、出力デバイス７０８は、オーディオ、ビデオ、テキスト、グラフィックスなどを表示するように構成された表示デバイスを備えてよい。
【００４６】
図８は、１つまたは複数の電子デバイス７００とエンティティ７５２とを含むワイヤレス電力システム７５０を示しており、このエンティティ７５２は、単に例を挙げると、サービスプロバイダ（すなわちワイヤレス電力を提供するエンティティ）、事業所（たとえばコーヒーショップ）、サービスプロバイダもしくは事業所と合意した第三者、またはその組合せを備えてよい。ＷｉＦｉアクセスの提供と同じようなやり方で、企業や空港などのエンティティ、または別のエンティティは、料金が支払われたことを確認し、あるいは１つまたは複数の関連するワイヤレス充電器を操作する責任を担ってよいことに留意されたい。エンティティ７５２は、１つまたは複数のワイヤレス充電器７５６を備えることができ、１つまたは複数のワイヤレス充電器７５６、またはその任意の組合せに関連付けられてよい。ワイヤレス充電器７５６は、送信機（図８に図示せず、たとえば図４の送信機２００参照）と、少なくとも１つの関連する送信アンテナ７５４とを備えてよい。ワイヤレス充電器７５６は、関連する充電領域内で電力を無線で送信するように構成されてよい。さらに、ワイヤレス充電器７５６によって送信された電力は、ワイヤレス充電器７５６の充電領域内に置かれる１つまたは複数の電子デバイスによって受信することができる。
【００４７】
本発明の他の様々な例示的な実施形態によれば、顧客は、料金と引き換えに、１つまたは複数のワイヤレス充電器からワイヤレス電力を受信することができる。たとえば、例示的な一実施形態によれば、ユーザは、ワイヤレス電力受信のサブスクリプションを購入してもよい。別の例によれば、ユーザは、製品またはサービスを購入した後に、ワイヤレス電力を受信してもよい。
【００４８】
顧客へのワイヤレス電力伝達に付随するコストを減少させるために、エンティティ（たとえば事業所やサービスプロバイダ）は、第三者と提携し、１つまたは複数の広告を顧客に送ることができる。さらに、顧客の電子デバイスにワイヤレス電力を伝達する前に、エンティティは、顧客の無線充電可能なデバイスに対して１つまたは複数のデータマイニング操作をエンティティに実施させることに顧客が合意するよう求めてよい。さらに、他の様々な例示的な実施形態によれば、料金の支払いに加えて、ユーザは、エンティティ７５２によって決定された少なくとも１つの条件に合意してよい。別の言い方をすると、ワイヤレス電力を少なくとも１つの電子デバイス７００に送信することを可能にする前に、エンティティ７５２は、少なくとも１つの電子デバイス７００のユーザに、少なくとも１つの電子デバイス７００に対して１つまたは複数の操作を実施することに合意するよう求めることができる。さらに、少なくとも１つの電子デバイス７００にワイヤレス電力を伝達する前またはその間、エンティティ７５２は、電子デバイス７００に対して１つまたは複数の操作を実施させることができる。
【００４９】
一例として、少なくとも１つの電子デバイス７００にワイヤレス電力を伝達する前またはその間、エンティティ７５２は、少なくとも１つの電子デバイスに１つまたは複数の広告を送信してよい。さらに、少なくとも１つの電子デバイス７００上で１つまたは複数の広告を受信すると、エンティティ７５２は、１つまたは複数の広告を電子デバイス７００によって伝えさせる（たとえば表示させる）ことができる。別の例として、少なくとも１つの電子デバイス７００にワイヤレス電力を伝達する前またはその間、エンティティ７５２は、様々な形の情報を収集するために電子デバイス７００に対して１つまたは複数のデータマイニング操作を実施するように構成されてよい。
【００５０】
上述されたように、本発明の様々な例示的な実施形態は、料金と引き換えに、ワイヤレス電力を受信することができる。たとえば、例示的な一実施形態によれば、ユーザは、ワイヤレス電力受信のサブスクリプションを購入してよい。広告ベースの充電方法またはデータマイニングベースの充電方法に関連する例示的な実施形態とは対照的に、サブスクリプションベースの充電は、ユーザがワイヤレス電力サブスクリプションを購入することを可能にでき、それによって、ワイヤレス電力シナリオを向上させることができる。たとえば、１つまたは複数の例示的な実施形態によるサブスクリプションベースの充電は、ユーザ（すなわち顧客）に、ワイヤレス電力への優先アクセスを与え、広告を目にする機会（ｅｘｐｏｓｕｒｅ  ｔｏ）をなくし、もしくは減少させ、データマイニング監視を受ける機会をなくし、もしくは減少させ、またはそのいずれかの組合せを行うことができる。
【００５１】
例示的な一実施形態によれば、ワイヤレス電力サブスクリプションプランは、様々な費用、様々なサービスタイプおよびレベルを有する様々なサービスを含んでよい。たとえば、ユーザは、「シルバー」プラン、「ゴールド」プランまたは「プラチナ」プランを購入することができ、「プラチナ」プランが、最も高いサブスクリプション価格の最高レベルのサービスであり、「シルバー」プランが、最も低いサブスクリプション価格の最低レベルのサービスである。複数のユーザが単一のワイヤレス電源からワイヤレス電力を受信しようとしている一例では、プラチナプランを有するユーザは、ゴールドまたはシルバープランを有するユーザよりも優先されてよい。別の言い方をすると、プラチナプランに加入したユーザは、ゴールドまたはシルバープランに加入したユーザより前に、ワイヤレス電力を受信することができる。同様に、ゴールドプランを有するユーザは、シルバープランを有するユーザよりも優先されてよい。さらに、優先度は、電子デバイス内の使用可能な電力量に基づいてもよい。より具体的には、たとえば、充電がほとんどまたは全く蓄えられていない電子デバイスは、完全に充電された電子デバイスよりも優先されてよい。さらに、エンティティに関連するワイヤレス電力オペレータが、ユーザが使用可能な電力量を制御できることに留意されたい。
【００５２】
本発明の様々な例示的な実施形態によれば、ワイヤレス電力サブスクリプションは、１つまたは複数のパラメータ（たとえばエネルギー、時間または位置）に少なくとも部分的に基づいてよい（たとえばそれに限定されてよい）。より具体的には、一例として、１つまたは複数のワイヤレス充電器は、位置ベースのサブスクリプション、エネルギーベースのサブスクリプション、時間ベースのサブスクリプション、またはその任意の組合せに従って１つまたは複数の電子デバイスにワイヤレス電力を運んでよい。たとえば、サブスクリプションは、加入者が地理的領域内（たとえば市境内）、または特定のエンティティ（たとえば指定された店の中だけ）でワイヤレス電力を受信することを可能にしてよい。さらに、サブスクリプションは、電力を受信できる期間（たとえば１日当たり）またはある時間帯に受信された総エネルギーの制限を受けてよい。指定された位置の外部で受信された電力については、ワイヤレス電力の価格が増加し得ることに留意されたい。さらに、サブスクリプションに含まれない期間に受信された電力について、または総エネルギー制限を超えるエネルギーレベルについては、ワイヤレス電力の価格が増加することがある。さらに、サブスクリプションは、充電ごとに、エネルギー受信ごとに、エネルギー送信ごとになど、それぞれの料金に従ってよい。他の例示的な実施形態によれば、サブスクリプションは、グローバルなアクセスを提供することができ、時間および受信されるエネルギーに対して無制限とすることもできる。
【００５３】
さらに、ワイヤレス電力サブスクリプションは、ユーザが、関連する電子デバイスを、電気デバイス内に蓄えられた充電がしきい値量未満に低下するとワイヤレス電力を受信するように構成することを可能にしてもよい。別の例では、電力を受信できる時間、および受信される電力量は、予想された電力要件に基づいてもよいし、電子デバイスに格納された残りの充電量によってもよい。例示的な一実施形態によれば、ワイヤレス電力サブスクリプションは、（たとえば関連するデバイス内で使用可能な電力がしきい値未満である場合、）単に非常用電力のためのものであってよい。
【００５４】
さらに、広告、データマイニング監視、または両方を受ける機会のレベルは、サブスクリプションレベルに従って変化してよい。たとえば、サービスレベルが向上するにつれて、したがってサブスクリプションのコストが増加するにつれて、ユーザが受信する広告の数は減少することがあり、ユーザが受けるデータマイニング操作の数またはタイプは減少することがあり、またはその両方であり得る。より具体的な例として、プラチナサブスクリプションプランを購入したユーザは、いずれかの広告を受信または閲覧する必要なしにワイヤレス電力を受信してもよいし、データマイニング操作も受けなくてよい。さらに、この例では、ゴールドサブスクリプションプランを購入したユーザは、ワイヤレス電力を受け取る前に、その間またはその後に、限られた数の広告を受け取ってよい。この例について続けると、シルバーサブスクリプションプランを購入したユーザは、ゴールドサブスクリプションユーザによって受信された広告の数より多い、いくつかの広告を受け取ってよい。
【００５５】
別の例として、サブスクリプションベースのプランは、データマイニング監視を行い得るが、広告は提供されない。したがって、サブスクリプションプランでは、顧客は、料金と引き換えに、関連する電子デバイス上でワイヤレス電力を受信することができ、さらに、エンティティ７５２が電子デバイス上で１つまたは複数のデータマイニング操作を実施することを可能にしてよい。当業者には理解されるように、１つまたは複数のデータマイニング操作によって収集されたデータは、様々な目的に使用することができる。たとえば、エンティティ７５２は、関連する顧客の電力消費習慣に関して電子デバイス７００から情報を収集することができ、その後、エンティティ７５２は、監視された消費習慣を考慮して、コストおよびサービス品質を最適化できる代替のサブスクリプションプランを顧客に提供してよい。別の例示的な実施形態によれば、エンティティ７５２は、提示されているワイヤレス電力サービスを規制し監視してよい。たとえば、エンティティ７５２は、所与の時点でシステムを使用するデバイスの数およびタイプに従って提供されたワイヤレス電力システムの共振送信源の周波数設定を制御することができる。
【００５６】
ユーザ（すなわち顧客）は、関連する電気デバイス（たとえば電子デバイス７００）を、要求時に、あるいは１つまたは複数の基準が満たされると、ワイヤレス電力を受信するように構成できることに留意されたい。たとえば、電子デバイス７００は、関連するエネルギー蓄積デバイス７０６の充電レベルがしきい値未満に低下すると、サブスクリプションベースのプランに従ってワイヤレス電力を受信するように構成されてよい。別の例として、電子デバイス７００は、将来の電力消費を予想して、ワイヤレス電力を受信するように構成されてよい。具体的には、たとえば、関連する電子カレンダにアクセスすることによって、電子デバイス７００は、将来の使用に必要な電力量を予測することができ、それに応じて、サブスクリプションベースのプランに従ってワイヤレス電力を要求し受信することができる。ワイヤレス電力サブスクリプションは、年、前月比など、任意の適切な期間を備えてよいことにさらに留意されたい。したがって、このタイプのサブスクリプションは、再発生する料金の支払いを求めることがある。さらに、ユーザは、クレジットを購入することができ、その後に、このクレジットを、ワイヤレス電力と交換することができる。さらに、料金は、受信されたエネルギー量に厳密に基づいてよい。別の言い方をすると、月ごとまたは年ごとのサブスクリプションの料金を支払うのでなく、使用ごとに、また実際に受信されたワイヤレス電力の代金だけを支払ってもよい。
【００５７】
例示的な一実施形態は、ユーザがワイヤレス電力の料金支払いに以前に合意している、基本料金なしの、または基本料が少額のサブスクリプションを備えてよい。ユーザは、関連する電子デバイスによって要求されるとき、および適切な充電局の範囲にあるとき、ワイヤレス電力を自動的に受信することができ、あるいは電子デバイスは、サブスクリプションに関連付けられており、範囲内に位置している好ましいワイヤレス充電器（たとえば最小コストのワイヤレス充電器）からワイヤレス電力を自動的に受信してもよい。あるいは、電子デバイスは、使用可能なワイヤレス充電器のリストをユーザに表示することができ、それに応答してユーザは、ワイヤレス充電器を選択しなくてもよいし、そこからワイヤレス電力を受信する１つまたは複数のワイヤレス充電器を選択してもよい。さらに、サブスクリプションは事前に許可することができ、したがってユーザは、ワイヤレス電力受信前にその都度、許可を行うように求められることがあることに留意されたい。
【００５８】
別の例示的な実施形態によれば、ユーザは、エンティティ７５２から製品、サービスまたは両方を購入した後、ワイヤレス電力を受信してよい。一例として、ユーザは、製品、サービスまたは両方を購入した後に、アクセスキーを受信することができ、このアクセスキーは、ユーザがワイヤレス電力を受信することを可能にできる。さらに、例示的な一実施形態によれば、製品、サービスまたは両方を購入した後、ユーザは、クーポンを受信することができ、このクーポンは、ユーザがワイヤレス電力を将来受信することを可能にできる。別の例示的な実施形態では、製品またはサービスを購入した後、ユーザの電子デバイスに、充電コードをロードすることができる。たとえば、コードは、電子デバイスをパッドの上に置き、Ｂｌｕｅｔｏｏｔｈ（登録商標）やＺｉｇＢｅｅなど、短距離通信を介してコードを受信することによってロードしてもいし、ネットワーク（たとえばＬＡＮやＷＡＮ）を開始して隣接または物理接続を相関させることによってロードしてもよい。
【００５９】
上記に言及されたように、サブスクリプションベースの充電は、事業所内で実施してよい。さらに、サブスクリプションベースの充電は、オフィスまたは教育環境で実施してよい。たとえば、大学または企業は、企業または大学がワイヤレスインターネットサービスを購入できるやり方と同じようにワイヤレス電力サブスクリプションを購入してよい。購入されたサブスクリプションは、サービスの使用を許可された学生または従業員だけがワイヤレス電力を受信できるように、制限に基づいてアクセスを提供することができる。
【００６０】
図９および図１０を参照して、ワイヤレス電力へのアクセスを制限する様々な方法について次に述べられる。特に図９を参照すると、例示的な一実施形態によれば、電子デバイス９００に関連付けられており、またアクセスコードが提供されている加入者（すなわち顧客）は、エンティティ９０４のワイヤレス充電器９０２から送信されたワイヤレス電力へのアクセスを受信するために、アクセスコードを使用することができる。図１０に示された別の例示的な実施形態によれば、アクセスは、エンティティ９０４の関連するワイヤレス電力システムへのゲートキーパとして働くことができるルータ９０６と共に提供されてよい。より具体的には、アクセスコードは、電子デバイス９００に関連するサブスクライバからルータ９０６に提供されてよい。加入者から適切なアクセスコードを受信した後、ルータ９０６は、ワイヤレス電力をワイヤレス充電器９０２から電子デバイス９０２に送信することを可能にできる。したがって、許可された加入者にはワイヤレス電力のアクセスを提供してよいが、許可されない加入者はアクセスを拒否され得る。ルータ９０６はさらに、ワイヤレスインターネット、ワイヤレス電力または両方へのアクセスを提供するために、ワイヤレスインターネットルータと共に使用してよいことに留意されたい。
【００６１】
図１１は、１つまたは複数の例示的な実施形態による方法９８０を示すフローチャートである。方法９８０は、１つまたは複数の料金ベースのワイヤレス電力プランに関連する１つまたは複数の電子デバイスがワイヤレス電力を受信することを許可するステップ（符号９８２で示す）を含んでよい。方法９８０は、１つまたは複数の料金ベースのワイヤレス電力プランに従って１つまたは複数の電子デバイスにワイヤレス電力を伝達するステップ（符号９８３で示す）をも含んでよい。
【００６２】
図１２は、１つまたは複数の例示的な実施形態による、別の方法９８４を示すフローチャートである。方法９８４は、少なくとも１つのサブスクリプションベースのワイヤレス電力プランに関連する１つまたは複数の電子デバイスがワイヤレス電力にアクセスすることを可能にするステップ（符号９８６で示す）を含んでよい。方法９８４は、関連するサブスクリプションベースのワイヤレス電力プランに従って１つまたは複数の電子デバイスのうちの少なくとも１つのデバイスにワイヤレス電力を伝達するステップ（符号９８７で示す）をさらに含んでよい。
【００６３】
図１３は、１つまたは複数の例示的な実施形態による、別の方法９８８を示す別のフローチャートである。方法９８８は、１つまたは複数のサブスクリプションベースのワイヤレス電力プランを提供するステップ（符号９９０で示す）を含んでよい。方法９８８は、１つまたは複数のサブスクリプションベースのワイヤレス電力プランに関連する１つまたは複数の電子デバイスにワイヤレス電力を伝達するステップ（符号９９２で示す）をも含んでよい。
【００６４】
図１４のフローチャートを参照すると、１つまたは複数の例示的な実施形態による別の方法９９４が示されている。方法９９４は、ワイヤレス電力プランに加入するステップ（符号９９５で示す）を含んでよい。方法９９４は、ワイヤレス電力サブスクリプションに従って１つまたは複数の電子デバイス上でワイヤレス電力を受信するステップ（符号９９６で示す）をも含んでよい。
【００６５】
図１５は、１つまたは複数の例示的な実施形態による、別の方法９９７を示すフローチャートである。方法９９７は、１つまたは複数の料金ベースのワイヤレス電力プランに従って１つまたは複数の電子デバイス上でワイヤレス電力を受信する許可を受信するステップを（符号９９８で示す）を含んでよい。方法９９７は、１つまたは複数の料金ベースのワイヤレス電力プランに従って１つまたは複数の電子デバイス上でワイヤレス電力を受信するステップ（符号９９９で示す）をさらに含んでよい。
【００６６】
情報および信号は、様々な異なる技術および技法のいずれかを使用して表してよいことが当業者には理解されよう。たとえば、上記説明全体に渡って言及され得るデータ、命令、コマンド、情報、信号、ビット、シンボルおよびチップは、電圧、電流、電磁波、磁界または磁性粒子、光場または光粒子、あるいはその任意の組合せによって表すことができる。
【００６７】
本明細書の開示された例示的な諸実施形態に関連して述べられた様々な例示的な論理ブロック、モジュール、回路およびアルゴリズムステップは、電子ハードウェア、コンピュータソフトウェア、または両方の組合せとして実装できることが当業者にはさらに理解されよう。ハードウェアとソフトウェアのこの交換可能性について明確に示すために、様々な例示的なコンポーネント、ブロック、モジュール、回路およびステップについて、上記では概してその機能性に関して述べている。こうした機能性をハードウェアとして実装するか、それともソフトウェアとして実装するかは、特定の適用例、およびシステム全体に課された設計の制約に依存する。当業者は、述べられた機能性を、特定の適用例ごとに異なるやり方で実施できるが、こうした実装上の決定は、本発明の例示的な諸実施形態の範囲からの逸脱をもたらすものと解釈すべきではない。
【００６８】
本明細書に開示された例示的な諸実施形態に関連して述べられた様々な例示的な論理ブロック、モジュール、および回路は、汎用プロセッサ、デジタル信号プロセッサ（ＤＳＰ：  Ｄｉｇｉｔａｌ  Ｓｉｇｎａｌ  Ｐｒｏｃｅｓｓｏｒ）、特定用途向け集積回路（ＡＳＩＣ：  Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：  Ｆｉｅｌｄ  Ｐｒｏｇｒａｍｍａｂｌｅ  Ｇａｔｅ  Ａｒｒａｙ）または他のプログラマブル論理デバイス、個別ゲートまたはトランジスタ論理、個別のハードウェアコンポーネント、あるいは本明細書に述べられた機能を実施するように設計されたその任意の組合せで実装または実施することができる。汎用プロセッサは、マイクロプロセッサであってよいが、別法では、プロセッサは、任意の従来のプロセッサ、コントローラ、マイクロコントローラまたは状態機械であってよい。プロセッサは、コンピューティングデバイスの組合せ、たとえばＤＳＰとマイクロプロセッサの組合せ、複数のマイクロプロセッサ、ＤＳＰコアと連携する１つまたは複数のマイクロプロセッサ、あるいは他の任意のこうした構成として実装することもできる。
【００６９】
本明細書に開示された例示的な諸実施形態に関連して述べられた方法およびアルゴリズムの諸ステップは、ハードウェアで直接に、プロセッサによって実行されたソフトウェアモジュールで、またはその２つの組合せで実施されてもよい。ソフトウェアモジュールは、ランダムアクセスメモリ（ＲＡＭ：  Ｒａｎｄｏｍ  Ａｃｃｅｓｓ  Ｍｅｍｏｒｙ）、フラッシュメモリ、読取り専用メモリ（ＲＯＭ：  Ｒｅａｄ  Ｏｎｌｙ  Ｍｅｍｏｒｙ）、電気的プログラマブルＲＯＭ（ＥＰＲＯＭ：  Ｅｌｅｃｔｒｉｃａｌｌｙ  Ｐｒｏｇｒａｍｍａｂｌｅ  ＲＯＭ）、電気的消去可能プログラマブルＲＯＭ（ＥＥＰＲＯＭ：  Ｅｌｅｃｔｒｉｃａｌｌｙ  Ｅｒａｓａｂｌｅ  Ｐｒｏｇｒａｍｍａｂｌｅ  ＲＯＭ）、レジスタ、ハードディスク、取外し可能ディスク、ＣＤ−ＲＯＭ、または当技術分野で知られている他の任意の形の記憶媒体に常駐してよい。例示的な記憶媒体は、プロセッサが記憶媒体から情報を読み出し、記憶媒体に情報を書き込むことができるようにプロセッサに結合される。別法では、記憶媒体は、プロセッサと一体化することができる。プロセッサおよび記憶媒体は、ＡＳＩＣに常駐してよい。ＡＳＩＣは、ユーザ端末に常駐してよい。別法では、プロセッサおよび記憶媒体は、ユーザ端末の個別部品として常駐してもよい。
【００７０】
１つまたは複数の例示的な実施形態では、述べられた機能は、ハードウェア、ソフトウェア、ファームウェアまたはその任意の組合せで実装できる。ソフトウェアで実装される場合、機能は、１つまたは複数の命令またはコードとしてコンピュータ読取り可能媒体に格納することも、送信することもできる。コンピュータ読取り可能媒体は、コンピュータプログラムをある場所から別の場所に転送することを容易にする任意の媒体を含めて、コンピュータ記憶媒体と通信媒体の両方を含む。記憶媒体は、コンピュータによってアクセスできる任意の使用可能な媒体であってよい。限定のためではなく、例を挙げると、こうしたコンピュータ読取り可能媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形の所望のプログラムコードを搬送しまたは格納するために使用可能であり、コンピュータによってアクセス可能である他の任意の媒体を備えてよい。また、いずれの接続も適切に、コンピュータ読取り可能媒体と呼ばれる。たとえば、同軸ケーブル、光ファイバケーブル、ツイストペア線、デジタル加入者線（ＤＳＬ：  ｄｉｇｉｔａｌ  ｓｕｂｓｃｒｉｂｅｒ  ｌｉｎｅ）、または赤外線、無線およびマイクロ波などのワイヤレス技術を使用してソフトウェアがウェブサイト、サーバまたは他の遠隔ソースから送信される場合、同軸ケーブル、光ファイバケーブル、ツイストペア線、ＤＳＬ、または赤外線、無線およびマイクロ波などのワイヤレス技術は、媒体の定義に含まれる。本明細書では、ディスク（ｄｉｓｋ、ｄｉｓｃ）は、コンパクトディスク（ＣＤ：  ｃｏｍｐａｃｔ  ｄｉｓｃ）、レーザディスク、光ディスク、デジタル多用途ディスク（ＤＶＤ：  ｄｉｇｉｔａｌ  ｖｅｒｓａｔｉｌｅ  ｄｉｓｃ）、フロッピー（登録商標）ディスクおよびブルーレイディスクを含み、ただし、ディスク（ｄｉｓｋ）は通常、データを磁気的に再生し、ディスク（ｄｉｓｃ）はデータをレーザで光学的に再生する。上記内容の組合せもまた、コンピュータ読取り可能媒体の範囲内に含まれるべきである。
【００７１】
開示された例示的な実施形態についての上記説明は、当業者が本発明を作成または使用することを可能にするために提供されている。これらの例示的な実施形態への様々な修正が当業者には容易に明らかになり、本明細書に定義された一般的な原理は、本開示の精神または範囲から逸脱せずに他の実施形態に適用することができる。したがって、本発明は、本明細書に示された例示的な諸実施形態に限定されるものでないが、本明細書に開示された原理および新規な特徴に一致する最も広い範囲が与えられるものである。
【符号の説明】
【００７２】
１００  充電システム
１０２  入力電力
１０４  送信機
１０６  放射界
１０８  受信機
１１０  出力電力
１１２  距離
１１４  送信アンテナ
１１８  受信アンテナ
１１９  通信チャネル
１２２  発振器
１２３  調整信号
１２４  電力増幅器
１２５  制御信号
１２６  フィルタ／整合回路
１３２  整合回路
１３４  整流器／スイッチング
１３６  バッテリ
１５０  ループアンテナ
１５２  キャパシタ
１５４  キャパシタ
１５６  共振信号
２００  送信機
２０２  送信回路
２０４  送信アンテナ
２０６  整合回路
２０８  低域フィルタ
２１０  電力増幅器、増幅器
２１２  発振器
２１４  コントローラ
２１６  負荷感知回路
２２０  キャリア信号
２２４  送信変調信号
２２６  信号の電力
２２８  電力供給
２３０  差動増幅器
２３５  受信信号
２７０  メモリ
２８０  存在検出器
２９０  閉鎖検出器
３００  受信機
３０２  受信回路
３０４  受信アンテナ
３０６  電力変換回路
３０８  ＲＦ−ＤＣ変換器
３１０  ＤＣ−ＤＣ変換器
３１２  スイッチング回路
３１４  ビーコン回路
３１６  プロセッサ
３５０  デバイス
７００  電子デバイス
７０１  プロセッサ
７０２  受信アンテナ
７０３  メモリ
７０４  ユーザインターフェース
７０６  エネルギー蓄積デバイス
７０８  出力デバイス
７０９  位置検出コンポーネント
７１０  入力デバイス
７５２  エンティティ
７５４  送信アンテナ
７５６  ワイヤレス充電器
９００  電子デバイス
９０２  ワイヤレス充電器
９０４  エンティティ
９０６  ルータ
【図１】
2014209845.tif 000003
【図２】
2014209845.tif 000004
【図３】
2014209845.tif 000005
【図４】
2014209845.tif 000006
【図５】
2014209845.tif 000007
【図６】
2014209845.tif 000008
【図７Ａ】
2014209845.tif 000009
【図７Ｂ】
2014209845.tif 000010
【図８】
2014209845.tif 000011
【図９】
2014209845.tif 000012
【図１０】
2014209845.tif 000013
【図１１】
2014209845.tif 000014
【図１２】
2014209845.tif 000015
【図１３】
2014209845.tif 000016
【図１４】
2014209845.tif 000017
【図１５】
2014209845.tif 000018